(57)【要約】【課題】冷媒回路の構造に関わらず、圧縮機を保護しかつ消費電力を低減することができる除湿機を提供する。【解決手段】除湿機の制御装置は、停止湿度ＨＳと設定湿度ＨＡとを有し、圧縮機の運転中において室内湿度が停止湿度ＨＳよりも低くなったとき圧縮機の運転を停止し、圧縮機の運転停止中において室内湿度が設定湿度ＨＡ以上となったとき圧縮機の運転を再開する。停止湿度ＨＳの設定処理時の除湿機の除湿効率が、圧縮機の運転開始から停止湿度ＨＳの設定処理時までの期間における除湿機の平均除湿効率よりも低くなる時点を、除湿効率が上昇から下降に切り替わる時点を示すものとして検出し、この時点の湿度を第１の停止湿度とする。また圧縮機の保護に係る第２の停止湿度を算出する。そして、第１の停止湿度と第２の停止湿度とのうちでその値が低いものを選択し、両者が等しいときはいずれか一方を選択し、選択に係る湿度を停止湿度ＨＳに設定する。【選択図】図１１
2015036591.tif 000002
【特許請求の範囲】
【請求項１】
圧縮機（１）と、吸入空気を露点温度以下に冷却する熱交換器（１１）と、前記圧縮機（１）を制御する制御装置（１７）とを備え、前記制御装置（１７）は、前記圧縮機（１）の運転を停止する条件としての停止湿度（ＨＳ）と、前記圧縮機（１）の運転を再開する条件としての設定湿度（ＨＡ）とを有し、前記圧縮機（１）の運転中において室内湿度が前記停止湿度（ＨＳ）よりも低くなったとき前記圧縮機（１）の運転を停止し、前記圧縮機（１）の運転停止中において前記室内湿度が前記設定湿度（ＨＡ）以上となったとき前記圧縮機（１）の運転を再開する除湿機において、
前記制御装置（１７）は、
前記圧縮機（１）の保護のための圧縮機保護停止時間（ｔｐ）を記憶し、
前記停止湿度の設定処理時における前記除湿機の除湿効率が、前記圧縮機（１）の運転開始から処理時までの期間における前記除湿機の平均除湿効率よりも低くなる時点を、前記除湿効率が上昇から下降に切り替わる時点を示すものとして検出し、この時点の湿度を第１の停止湿度（ＨＳＡ）として記憶し、
更に、前記除湿機が設置されている室内の室内空間容積（Ｖ）と、この除湿機の除湿能力と、この除湿機に加わる除湿負荷（Ｑ２）と、前記設定湿度（ＨＡ）と、前記停止湿度（ＨＳ）とに基づいて、前記圧縮機（１）の停止時間を算出し、この停止時間及び前記圧縮機保護停止時間（ｔｐ）のうちでその時間が長いものを選択して、選択に係る時間に基づいて前記停止湿度を算出し、この算出に係る停止湿度を、前記圧縮機（１）の保護のための第２の停止湿度（ＨＳＢ）として記憶し、
前記第１の停止湿度（ＨＳＡ）と前記第２の停止湿度（ＨＳＢ）とのうちでその値が低いものを選択し、両者が等しいときはいずれか一方を選択して、選択に係る湿度を前記停止湿度（ＨＳ）に設定する
ことを特徴とする除湿機。
【請求項２】
前記制御装置（１７）は、前記室内湿度が設定湿度（ＨＡ）から停止湿度（ＨＳ）に低下するまでの時間（ｔ１）の逆数と、前記室内湿度が停止湿度（ＨＳ）から設定湿度（ＨＡ）に上昇するまでの時間（ｔ２）の逆数との和に基づいて、前記室内空間容積（Ｖ）を設定する
ことを特徴とする請求項１に記載の除湿機。
【発明の詳細な説明】
【技術分野】
【０００１】
本発明は、熱交換器で除湿する除湿機に関する。
【背景技術】
【０００２】
上記除湿機として、次の技術が知られている。
この技術では、室内湿度を設定湿度に維持するため、次のように圧縮機を制御する。すなわち、設定湿度が設定されたとき、この設定湿度から所定値を引いて得られる湿度を、圧縮機を停止するための停止湿度として設定する。この停止湿度は、圧縮機の保護の観点から、圧縮機の保護のための圧縮機保護停止時間よりも停止時間が短くならないように、上記所定値を大きく見積もって、設定される。
【０００３】
そして、室内湿度が停止湿度まで低下したときに圧縮機を停止し、その後、湿度が上昇して室内湿度が設定湿度に達したときに圧縮機の運転を再開する。
【先行技術文献】
【特許文献】
【０００４】
【特許文献１】特開昭６１−１８４３８２号公報
【発明の概要】
【発明が解決しようとする課題】
【０００５】
ところで、省エネの観点から、除湿機の消費電力を低減させたいという要求がある。
この点、上記特許文献１の記載には、冷媒回路を２系統にして、除湿負荷に応じて２系統の冷媒回路を運転させる技術が開示されている。しかし、消費電力を低減させることができ、かつ１系統の冷媒回路にも適用することができる技術は提案されていない。
【０００６】
本発明はこのような事情に鑑みてなされたものであり、その目的は、冷媒回路の構造に関わらず、圧縮機を保護し、かつ消費電力を低減することができる除湿機を提供することにある。
【課題を解決するための手段】
【０００７】
課題を解決する除湿機は、圧縮機と、吸入空気を露点温度以下に冷却する熱交換器と、前記圧縮機を制御する制御装置とを備え、前記制御装置は、前記圧縮機の運転を停止する条件としての停止湿度と、前記圧縮機の運転を再開する条件としての設定湿度とを有し、前記圧縮機の運転中において室内湿度が前記停止湿度よりも低くなったとき前記圧縮機の運転を停止し、前記圧縮機の運転停止中において前記室内湿度が前記設定湿度以上となったとき前記圧縮機の運転を再開する除湿機において、前記制御装置は、前記圧縮機の保護のための圧縮機保護停止時間を記憶し、前記停止湿度の設定処理時における前記除湿機の除湿効率が、前記圧縮機の運転開始から処理時までの期間における前記除湿機の平均除湿効率よりも低くなる時点を、前記除湿効率が上昇から下降に切り替わる時点を示すものとして検出し、この時点の湿度を第１の停止湿度として記憶し、更に、前記除湿機が設置されている室内の室内空間容積と、この除湿機の除湿能力と、この除湿機に加わる除湿負荷と、前記設定湿度と、前記停止湿度とに基づいて、前記圧縮機の停止時間を算出し、この停止時間及び前記圧縮機保護停止時間のうちでその時間が長いものを選択して、選択に係る時間に基づいて前記停止湿度を算出し、この算出に係る停止湿度を、前記圧縮機の保護のための第２の停止湿度として記憶し、前記第１の停止湿度と前記第２の停止湿度とのうちでその値が低いものを選択し、両者が等しいときはいずれか一方を選択して、選択に係る湿度を前記停止湿度に設定する。
【０００８】
従来技術では、圧縮機の保護のため、除湿負荷に関わらず、圧縮機の停止時間が圧縮機保護停止時間よりも短くならないようにするため、圧縮機の停止湿度を設定湿度よりも大幅に低いところに設定する。この場合、室内湿度の低下により、圧縮機の除湿効率が低下している場合でも、室内湿度がこの停止湿度に至るまで除湿する。このため、無駄に電力を消費することがある。
【０００９】
上記構成では、圧縮機の運転開始から前記停止湿度の設定処理時までの期間における除湿機の平均除湿効率よりも低くなる時点を、除湿効率が上昇から下降に切り替わる時点を示すものとして検出し、この時点の湿度を第１の停止湿度とする。
【００１０】
しかし、除湿効率だけを追及すると、圧縮機の保護の観点からその停止時間が短くなりすぎることがある。そこで、圧縮機を保護するための第２の停止湿度を設定する。そして、除湿効率の向上のための第１の停止湿度及び圧縮機の保護のための第２の停止湿度のうち、その値が低いものを停止湿度として選択する。すなわち、第２の停止湿度が第１の停止湿度よりも低いときは、第２の停止湿度を圧縮機の停止湿度とする。これにより、圧縮機の停止時間は、圧縮機保護停止時間よりも長くなる。第１の停止湿度が第２の停止湿度よりも低いときは、第１の停止湿度を圧縮機の停止湿度とする。この場合、圧縮機の停止時間は、圧縮機保護停止時間よりも長くなる。また、除湿効率が低下し始める時点で、圧縮機の運転を停止するため消費電力が低減する。
【００１１】
また、この技術は冷媒回路を備える除湿機に適用可能であり、冷媒回路の構造によってその適用が妨げられることはない。すなわち、上記構成によれば、冷媒回路の構造に関わらず、圧縮機を保護しかつ消費電力の低減を図ることができる。
【００１２】
上記除湿機において、前記制御装置は、前記室内湿度が設定湿度（ＨＡ）から停止湿度に低下するまでの時間の逆数と、前記室内湿度が停止湿度（ＨＳ）から設定湿度に上昇するまでの時間の逆数との和に基づいて、前記室内空間容積（Ｖ）を設定する。
【００１３】
室内空間容積を固定値に設定する場合、次の問題が生じる。すなわち、除湿機が設置される実際の室内空間容積と、予め設定された室内空間容積との間に大きな差があると、室内空間容積に基づいて導出される第２の停止湿度を精確に算出することができなくなる。そこで、上記構成では、室内湿度が設定湿度ＨＡから停止湿度ＨＳに低下するまでの時間の逆数と、室内湿度が停止湿度ＨＳから設定湿度ＨＡに上昇するまでの時間の逆数との和に基づいて室内空間容積を設定する。これにより、第２の停止湿度を精確に算出することができるようになる。
【発明の効果】
【００１４】
上記除湿機によれば、冷媒回路の構造に関わらず、圧縮機を保護し、かつ消費電力を低減することができる。
【図面の簡単な説明】
【００１５】
【図１】本実施形態に係る除湿機の模式図。
【図２】除湿機の冷媒回路の模式図。
【図３】圧縮機の運転状態と室内湿度の時間変化との関係を示すグラフ。
【図４】湿度に対する除湿効率を示すグラフ。
【図５】除湿負荷に対する除湿効率を示すグラフ。
【図６】室内の水分収支を示す模式図。
【図７】圧縮機の運転状態と、室内湿度の変化と、室内水分量Ｘの変化との関係を示すグラフ。
【図８】圧縮機の運転期間における水分収支を示す模式図。
【図９】圧縮機の停止期間における水分収支を示す模式図。
【図１０】圧縮機制御処理の処理手順を示すフローチャート。
【図１１】停止湿度の設定変更と、室内湿度の変化、除湿負荷の変化、及び消費電力の時間変化との関係を示すグラフ。
【発明を実施するための形態】
【００１６】
［除湿機の構成］
図１及び図２を参照して、本実施形態に係る除湿機１を説明する。
除湿機１は、冷媒を圧縮する圧縮機１０と、冷媒を膨張させる膨張弁１３（図２参照）と、冷却器としての第１熱交換器１１と、加熱器としての第２熱交換器１２と、除湿した水を受けるドレンパン１４と、室内空気を吸い込むためのファン１５と、圧縮機１０を制御する制御装置１７と、これらの装置を収容するケース２０とを備えている。
【００１７】
第１熱交換器１１は、膨張弁１３を通過した冷媒と吸入空気との間で熱交換させて、吸入空気を露点以下に冷却する。すなわち、第１熱交換器１１は除湿機能を有する。
第２熱交換器１２は、圧縮機１０を通過した冷媒と吸入空気との間で熱交換させて、吸入空気を室温近くの温度にまで加熱する。
【００１８】
ファン１５は、室内空気を吸い込む。
ドレンパン１４は、第１熱交換器１１で凝縮した水を受けるためのものであり、第１熱交換器１１の下方に配置されている。ドレンパン１４が受けた水は、除湿機１の外部に排出される。なお、この外部への排水構成に代えて、ドレンパン１４が受けた水を除湿機１の内部に設けられたタンクに貯留する構成を採用してもよい。
【００１９】
ケース２０には、室内空気を取り入れるための吸込口２１と、除湿した空気を室内に戻すための送風口２２とを有する。
吸込口２１から送風口２２までの吸入空気の流通経路（図１の矢印参照）には、第１熱交換器１１、第２熱交換器１２、ファン１５が配置されている。これら装置は、吸入空気の流通経路の上流から下流に向かって、第１熱交換器１１、第２熱交換器１２、ファン１５の順に配置されている。
【００２０】
また、ケース２０の前面には、室内湿度の目標値である設定湿度ＨＡを設定する設定部２３が設けられている。なお、この設定部２３に代えて、リモートコントローラにより設定湿度ＨＡを設定するように構成してもよい。
【００２１】
制御装置１７は、圧縮機１０の運転開始及び運転停止を制御する。
すなわち、制御装置１７は、圧縮機１０の運転制御により、室内湿度を設定湿度ＨＡ以下またはその近辺に維持する。
【００２２】
制御装置１７には、温度センサ１８と湿度センサ１９とが接続されている。温度センサ１８及び湿度センサ１９は、ケース２０の吸込口２１に配置されている。温度センサ１８は、吸入空気の温度を測定する。湿度センサ１９は、吸入空気の湿度（以下、「室内湿度」という。）を測定する。なお、湿度センサ１９は、本実施形態においては、室内湿度を相対湿度として測定する。
【００２３】
図２に示すように、圧縮機１０と、第１熱交換器１１と、第２熱交換器１２と、膨張弁１３とは一つの冷媒回路を構成する。冷媒は、膨張弁１３、第１熱交換器１１、圧縮機１０、第２熱交換器１２の順に循環する。なお、図２に示す例では、圧縮機１０の吸入口の前（上流側）にアキュムレータ１６が設けられている。アキュムレータ１６は、冷媒を気体と液体とに分離するものであり、圧縮機１０が液状の冷媒を吸入することを抑制する。
【００２４】
この冷媒回路において、第１熱交換器１１は、冷媒を蒸発させる蒸発器として作用する。すなわち、第１熱交換器１１は、冷媒が蒸発するときの潜熱を利用する冷却器である。
また、第２熱交換器１２は、冷媒を凝縮させる凝縮器として作用する。すなわち、第２熱交換器１２は、冷媒が凝縮するときの凝縮熱を利用する加熱器である。
【００２５】
［圧縮機の動作］
図３を参照して、圧縮機１０の動作について説明する。
圧縮機１０は、その運転中に、室内湿度が所定湿度（以下、「停止湿度ＨＳ」という。）よりも低くなったとき、停止する。また、圧縮機１０は、その停止中に、室内湿度が設定湿度ＨＡに達したとき、運転を再開する。
【００２６】
ところで、従来技術では、停止湿度ＨＳは、設定湿度ＨＡに対して所定値（以下、「差分Δｄ」という。）だけ低い値に設定される。すなわち、停止湿度ＨＳは、設定湿度ＨＡから差分Δｄを引いた値として設定される。差分Δｄは、圧縮機１０の保護のため、十分に大きい値に予め設定されている。例えば、除湿負荷が変化したとしても圧縮機１０の停止時間が圧縮機保護停止時間よりも短くならないように、この差分Δｄが十分に大きい値に設定される。
【００２７】
しかし、このような差分Δｄの設定は、圧縮機保護の観点からは適切な設定であるといえるが、省エネの観点からは改善の余地がある。従来技術では、差分Δｄは固定値であって設定湿度ＨＡが一定であるときは停止湿度ＨＳが一定値であるが、停止湿度ＨＳを変更することにより消費電力の低減を図ることが可能である。
【００２８】
図４は、室内湿度に対する除湿機１の除湿効率を示すグラフである。
除湿効率とは、所定湿度において、除湿機１の消費電力に対する単位空気容積あたりの水分変化量を示す。図４に示すように、除湿機１の除湿効率は、湿度が小さい程低下する。従って、除湿機１による運転において、除湿機１の運転開始時直後が最も除湿効率が高く、その後、湿度が低下するにつれて、除湿効率が低下する。
【００２９】
図５は、除湿負荷Ｑ２に対する除湿機１の除湿効率を示すグラフである。
図５に示すように、室内空間の除湿効率は、除湿負荷Ｑ２の増大により低下する。
除湿負荷Ｑ２が存在するとき、除湿機１は、除湿負荷Ｑ２による水分を除湿しながら室内の水分を除湿する。このため、除湿負荷Ｑ２が大きいとき、除湿機１の除湿能力Ｑ１のうちで室内の除湿に寄与する部分は、小さくなる。すなわち、除湿負荷Ｑ２が大きい程、その除湿機１による見かけ上の除湿能力（以下、「実質除湿能力」）が低下する。このため、室内湿度を設定湿度ＨＡから停止湿度ＨＳまで低下させる場合において、除湿負荷Ｑ２が大きいときは、除湿負荷Ｑ２が小さいときに比べて、消費電力が増大する。
【００３０】
また、除湿機１の除湿効率は、室内空間の大きさによっても変化する。
すなわち、室内空間が大きい場合は、室内空間が小さい場合に比べて、除湿効率が低下する。
【００３１】
以上のことから、除湿機１の除湿効率を高めるため、除湿負荷及び湿度を考慮して、圧縮機１０の停止条件すなわち圧縮機１０の停止湿度を変更すること好ましい。
また、圧縮機１０の保護の観点からは、圧縮機１０の停止時間を少なくとも圧縮機保護停止時間ｔｐよりも長くなるように設定する必要がある。ここで、圧縮機保護停止時間ｔｐは、圧縮機１０の故障が生じにくくなる最小時間であり、圧縮機１０の耐久試験等により設定される。
【００３２】
［停止湿度の設定方法］
圧縮機１０の停止湿度ＨＳは、上記考えに基づいて次のようにして設定される。
・第１に、除湿効率の低下を抑制することを目的として、第１の停止湿度ＨＳＡを求める（以下、これを「第１処理」という。）。
・第２に、圧縮機１０の保護を目的として、第２の停止湿度ＨＳＢを求める（以下、これを「第２処理」という。）。
・第３に、第１の停止湿度ＨＳＡと第２の停止湿度ＨＳＢのうちの低いものを、圧縮機１０の停止湿度ＨＳに設定する（以下、これを「決定処理」という。）。
【００３３】
「第１処理」について説明する。
除湿効率を向上する手段として次の考え方を導入する。
すなわち、「圧縮機１０の運転再開時から停止湿度の設定処理時までの期間の平均除湿効率が、停止湿度の設定処理時における除湿効率よりも大きくなる時点」以降は、その後、平均除湿効率が低下することになるため、当該時点における室内湿度を第１の停止湿度ＨＳＡに設定する。
【００３４】
ここで、「停止湿度の設定処理時」とは、第１の停止湿度ＨＳＡを求める演算を行う処理時を示す。以降の説明では、単に「処理時」というものとする。なお、この処理は、除湿機１の運転中、所定周期で繰り返し実行される。そして、この処理毎に、「平均除湿効率」と「処理時における除湿効率」を求めて、両者を比較し、「圧縮機１０の運転再開時から処理時までの期間の平均除湿効率が、処理時における除湿効率よりも大きくなる時点」を検出する。
【００３５】
「処理時における除湿効率」は、「処理時の除湿能力／処理時の消費電力」として定義される。「処理時の除湿能力」は、処理時の単位時間あたりの実質除湿量を示す。この実質除湿量は、処理時の吸込み空気温度・湿度、ファン風量、圧縮機運転状態（高圧、低圧、吸入冷媒温度、回転数）などに基づいて求められる。「処理時の消費電力」は、例えば、圧縮機１０のモータの電流、電圧及び力率、並びにファン１５のモータの電流、電圧及び力率に基づいて求められる。
【００３６】
「平均除湿効率」とは、圧縮機１０の運転再開から処理時までの期間にわたる除湿効率を示し、「除湿能力積算値／消費電力積算値」として定義される。「除湿能力積算値」は、圧縮機１０の運転再開時から処理時までの期間にわたる除湿能力Ｑ１の時間積分により見積もられる。この「除湿能力積算値」は、圧縮機１０の運転再開時から処理時までの期間において除湿した水分の積算値に相当する。なお、「除湿能力積算値」を、圧縮機１０の運転再開時から処理時までの吸込み空気温度・湿度、ファン風量、圧縮機運転状態（高圧、低圧、吸入冷媒温度、回転数）などに基づいて求めることもできる。
【００３７】
「消費電力積算値」は、圧縮機１０の運転再開時から処理時までの期間において圧縮機１０及びファン１５で消費される電力消費量を示す。この「消費電力積算値」には、圧縮機１０の運転再開時において消費される起動ロス電力すなわち除湿に寄与しない起動電力も含まれる。例えば、消費電力積算値は、当該期間（圧縮機１０の運転再開時から処理時までの期間）において、圧縮機１０のモータの電流、電圧及び力率、並びにファン１５のモータの電流、電圧及び力率に基づいて求められる。なお、消費電力積算値について、圧縮機１０の運転状態（回転数、高圧、低圧など）から計算で求めることもできる。
【００３８】
「第２処理」について説明する。
圧縮機１０の停止時間は、停止湿度ＨＳ、設定湿度ＨＡ、除湿負荷Ｑ２、及び室内空間容積Ｖに基づいて変化する。このため、停止湿度ＨＳ、設定湿度ＨＡ、除湿負荷Ｑ２、及び室内空間容積Ｖの値によっては、圧縮機１０の停止時間が上記圧縮機保護停止時間ｔｐよりも短くなるおそれがある。このため、停止時間が圧縮機保護停止時間ｔｐよりも短くならないように、第２の停止湿度ＨＳＢが設定される。
【００３９】
まず、停止湿度ＨＳ、設定湿度ＨＡ、除湿負荷Ｑ２、及び室内空間容積Ｖに基づいて、圧縮機１０の停止時間を算出する。そして、算出に係る停止時間が圧縮機保護停止時間ｔｐ以上であるときは、当該停止時間に基づいて第２の停止湿度ＨＳＢを設定する。一方、算出に係る停止時間が圧縮機保護停止時間ｔｐよりも小さくなる場合は、圧縮機保護停止時間ｔｐに基づいて第２の停止湿度ＨＳＢを設定する。なお、圧縮機１０の停止時間については、「停止時間の算出方法」で詳述する。また、圧縮機１０の停止湿度については、「停止湿度の算出方法」で詳述する。
【００４０】
［決定処理］について説明する。
制御装置１７は、周期的に、上記「第１処理」及び上記「第２処理」を実行する。そして、「第１処理」で求められる第１の停止湿度ＨＳＡと、「第２処理」で求められる第２の停止湿度ＨＳＢとのうちで、低い方の停止湿度ＨＳを選択し、これを圧縮機１０の停止湿度ＨＳに設定する。なお、第１の停止湿度ＨＳＡと第２の停止湿度ＨＳＢとが等しいときは第１の停止湿度ＨＳＡ（または第２の停止湿度ＨＳＢ）を停止湿度ＨＳに設定する。
【００４１】
すなわち、第１の停止湿度ＨＳＡが第２の停止湿度ＨＳＢよりも低いときは、第１の停止湿度ＨＳＡを停止湿度ＨＳに設定する。このときは、圧縮機１０の停止時間は、圧縮機保護停止時間ｔｐよりも長くなり、かつ平均除湿効率が低下し始める時点まで圧縮機１０の運転が継続される。これにより、圧縮機１０を保護しかつ消費電力の低減を図ることができる。
【００４２】
第２の停止湿度ＨＳＢが第１の停止湿度ＨＳＡよりも低いとき、または両者が等しいときは、第２の停止湿度ＨＳＢを停止湿度ＨＳに設定する。これにより、圧縮機１０の停止時間は、圧縮機保護停止時間ｔｐよりも長くなる。このため、圧縮機１０が保護される。
【００４３】
以下、「第２処理」で説明した「第２の停止湿度ＨＳＢ」の算出方法を説明する。
まず、前提事項を説明する。その次に、「第２の停止湿度ＨＳＢ」の算出方法の一例を説明する。
【００４４】
［前提事項］
第２の停止湿度ＨＳＢの算出においては、絶対湿度を用いる。すなわち、第２の停止湿度ＨＳＢの算出では、絶対湿度で表された室内湿度、設定湿度ＨＡ、及び停止湿度ＨＳを用いる。なお、湿度センサ１９で測定された値（相対湿度）は、温度センサ１８により測定された温度に基づいて絶対湿度に換算され、換算に係る湿度が「第２の停止湿度ＨＳＢ」の算出のために用いられる。
【００４５】
この説明で用いる各用語を次のように定義する。
・室内空間容積Ｖは、室内空間の容積（ｍ３）を示す。
・空気比体積νは、単位空気量あたりの空気容積（ｍ３／ｋｇ）を示す。
・室内空気質量Ｖ／νは、室内空間容積Ｖを空気比体積νで除算したものであり、室内に存在する空気の空気量（ｋｇ）を示す。
・室内水分量Ｘは、室内に含まれる水分量（ｋｇ）である。室内水分量Ｘは、室内湿度と室内空間容積Ｖとに基づいて算出される。
・除湿能力Ｑ１は、除湿機１の単位時間あたりの除湿能力（ｋｇ／ｈ）を示す。
・除湿負荷Ｑ２は、室内において単位時間あたりの水分増大量（ｋｇ／ｈ）を示す。
・再蒸発量Ｑ３は、圧縮機１０の停止中において、除湿機１から蒸発する単位時間あたりの水分量（ｋｇ／ｈ）を示す。
【００４６】
図６に、室内における水分収支を示す。
室内水分量Ｘは、換気に伴って変化する。
すなわち、室外空気の吸気に伴って水分が増大し、室内空気の排気に伴って水分が減少する。除湿負荷Ｑ２は、この差すなわち、室外空気の吸気に伴って室内に流入する水分量と室内空気の排気に伴って室内から流出する水分量との差として定義される。
【００４７】
また、室内水分量Ｘは、除湿機１のドレンパン１４の貯留された水の再蒸発に伴って増大し、除湿機１による除湿により減少する。
従って、除湿負荷Ｑ２と、除湿能力Ｑ１、再蒸発量Ｑ３とに基づいて、室内水分量Ｘを見積ることができる。
【００４８】
除湿機１の実質除湿能力は除湿負荷Ｑ２により変化する。すなわち、実質除湿能力は、除湿機１の除湿能力Ｑ１から除湿負荷Ｑ２を引いた値であることから、実質除湿能力は、除湿負荷Ｑ２が大きい程小さくなる。
【００４９】
「第２の停止湿度ＨＳＢ」は、設定湿度ＨＡ、除湿負荷Ｑ２、室内空間容積Ｖ等に基づいて算出することができる。
そこで、まず、除湿負荷Ｑ２の算出のためのデータを取得して、除湿負荷Ｑ２を算出する。次に、「第２の停止湿度ＨＳＢ」及び室内空間容積Ｖを算出する。室内空間容積Ｖは、除湿負荷Ｑ２の算出後に行う。これは、圧縮機１０の運転サイクル上、室内空間容積Ｖの算出のためのデータ取得を、除湿負荷Ｑ２の算出のためのデータ取得時期（サンプリング時期）よりも前の時期に行うことが難しいためである。
【００５０】
図７に、圧縮機１０の運転状態と、室内湿度の変化と、室内水分量Ｘの変化と、各種のサンプリング時期との関係を示す。
図７に示す例では、除湿開始時において、室内湿度が設定湿度ＨＡよりも高い。室内湿度は、除湿により徐々に低下し、時間ｔａにおいて停止湿度ＨＳよりも低下する。このとき、圧縮機１０の運転が停止する。その後、圧縮機１０の停止すなわち除湿運転の停止により、室内湿度が徐々に上昇する。そして、室内湿度が設定湿度ＨＡを超えるとき、圧縮機１０の運転が再開される。これにより、室内湿度が、再び下降する。なお、室内水分量Ｘは、室内湿度と同様の変化を示す。
【００５１】
このような圧縮機１０の運転において、各種データを取得するため、次の第１〜第３サンプリング期間が設定されている。
第１サンプリング期間は、圧縮機１０の運転により室内湿度が下降するところに設定される。なお、図７においては、第１サンプリング期間は、室内湿度が設定湿度ＨＡ以上である時期に設定されているが、室内湿度が設定湿度ＨＡと停止湿度ＨＳとの間で推移するときには、この第１サンプリング期間は、設定湿度ＨＡ以下である時期に設定される。
【００５２】
第１サンプリング期間では、この期間に取得した各種パラメータに基づいて除湿負荷Ｑ２が算出される。
なお、この計算において室内空間容積Ｖを用いるが、除湿機１の運転開始初期においては、室内空間容積Ｖは測定により算出されていない。このため、室内空間容積Ｖとして、予め設定されている初期値若しくは前回の除湿機１の運転終了時に設定された初期設定値が用いられる。
【００５３】
第２サンプリング期間は、室内湿度が設定湿度ＨＡであるときから室内湿度が停止湿度ＨＳに低下するまでの期間に設定される。すなわち、第２サンプリング期間は、圧縮機１０の運転再開から圧縮機１０の運転停止までの期間、また、圧縮機１０の運転中において室内湿度が設定湿度ＨＡに低下したときから圧縮機１０が運転停止するときまでの期間を示す。第２サンプリング期間では、室内空間容積Ｖの算出のためのデータが取得される。
【００５４】
第３サンプリング期間は、室内湿度が停止湿度ＨＳであるときから室内湿度が設定湿度ＨＡまで上昇するまでの期間に設定される。すなわち、第３サンプリング期間は、圧縮機１０の運転停止後から圧縮機１０の運転再開までの期間を示す。
【００５５】
第３サンプリング期間では、除湿負荷Ｑ２及びこの期間に取得した各種パラメータに基づいて「第２の停止湿度ＨＳＢ」が算出される。なお、この計算において室内空間容積Ｖを用いるが、室内空間容積Ｖは測定により算出されていないときは、室内空間容積Ｖとして、予め設定されている初期値若しくは前回の除湿機１の運転終了時に設定された初期設定値が用いられる。
【００５６】
更に、第３サンプリング期間では、第２サンプリング期間及び第３サンプリング期間に取得したデータに基づいて室内空間容積Ｖが算出される。
なお、除湿機１の運転中は周期的に、除湿負荷Ｑ２、停止湿度ＨＳ、及び室内空間容積Ｖが更新される。
【００５７】
［除湿負荷の算出］
図７及び図８を参照して、除湿負荷Ｑ２の算出方法について説明する。
図８は、第１サンプリング期間における室内の水分収支を示す図である。
【００５８】
図８に示すように、第１サンプリング期間においては除湿により室内空間の水分量は減少する。すなわち、第１サンプリング期間の開始時から終了時までに、室内水分量Ｘは、「Ｘ０１」から「Ｘ０２」に変化する。この水分量の変化量は、除湿能力Ｑ１と除湿負荷Ｑ２との差である実質除湿能力（すなわち「Ｑ１−Ｑ２」）に時間ｔ０をかけて得た値に相当する（（１−１）式参照）。
【００５９】
また、第１サンプリング期間の終了時における室内水分量Ｘ（「Ｘ０２」）は室内湿度（「ｘ０２」）と室内空気質量（「Ｖ／ν」）との積で表されるため、第１サンプリング期間の終了時の室内湿度は、次の（１−２）式により示される。
【００６０】
【数１】
2015036591.tif 000003
この上記（１−２）式から除湿負荷Ｑ２（（２）式）が導かれる。
【００６１】
【数２】
2015036591.tif 000004
この式において、「ｘ０２」は、第１サンプリング期間の終了時の室内湿度であり、測定により得られる値である。「Ｘ０１」は、第１サンプリング期間の開始時の室内水分量Ｘであり、第１サンプリング期間の開始時における室内湿度と室内空間容積Ｖから求められる。室内空間容積Ｖとしては、除湿機１の運転開始時期においては予め設定されている初期設定値が用いられ、後述の「室内空間容積Ｖの算出」において室内空間容積Ｖが求められたときは、新たに求められた室内空間容積Ｖが用いられる。「ｔ０」は、第１サンプリング期間の開始時から終了時までの時間を示し、この時間は予め設定されている。
【００６２】
［停止時間の算出方法］
図７及び図９を参照して、圧縮機１０の停止時間の算出方法を次に説明する。
図９に、第３サンプリング期間における室内の水分収支を示す図である。
【００６３】
図９に示すように、第３サンプリング期間（圧縮機１０の運転停止から運転再開までの期間）では、除湿負荷Ｑ２と、除湿機１からの水分の再蒸発とにより、室内空間の水分量が増大する。すなわち、第３サンプリング期間の開始時から終了時までに、室内水分量Ｘは、「Ｘ２」から「Ｘ１」に変化するとき、この水分量の変化量（「Ｘ１−Ｘ２」）は、除湿負荷Ｑ２と除湿機１の再蒸発量Ｑ３との和に時間ｔ２をかけて得た値に相当する（（３−１）式参照）。ここで「ｔ２」とは、室内湿度が停止湿度ＨＳから設定湿度ＨＡに上昇するまでの時間を示す（図７参照）。
【００６４】
【数３】
2015036591.tif 000005
また、第３サンプリング期間の終了時における室内水分量Ｘ（「Ｘ１」）は、室内湿度（設定湿度ＨＡ＝「ｘｓ」）と室内空気質量（「Ｖ／ν」）との積で表されるため、第３サンプリング期間の終了時の室内湿度（すなわち設定湿度ＨＡ＝「ｘｓ」）は、（３−２）式により示される。
【００６５】
ここで、「Ｘ２」は、第３サンプリング期間の開始時における室内水分量Ｘを示す。これは、圧縮機１０の停止時における室内水分量Ｘであり、圧縮機１０の停止時における停止湿度ＨＳと室内空気質量（「Ｖ／ν」）とに基づいて求められる。停止湿度ＨＳが設定されていないとき、すなわち圧縮機１０の運転開始時期においては、予め設定された値がこの計算のために用いられる。
【００６６】
この（３−２）式から、停止時間である「ｔ２」が求められる。
【００６７】
【数４】
2015036591.tif 000006
（４）式で示される停止時間は、除湿負荷Ｑ２及び除湿機１の再蒸発量Ｑ３を考慮して求められる時間である。すなわち、この時間は、圧縮機１０の停止後、室内湿度が設定湿度ＨＡに上昇するまでの時間を示す。
【００６８】
［停止湿度の算出方法］
次に、このように算出された停止時間に基づいて、圧縮機１０の停止時における停止湿度ＨＳを算出する。停止湿度ＨＳは（５）式で示される。そして、このようにして得られた停止湿度ＨＳは、第２の停止湿度ＨＳＢとして記憶される。
【００６９】
【数５】
2015036591.tif 000007
上記（４）式で求められる停止時間が、圧縮機１０の圧縮機保護停止時間ｔｐよりも短くなる場合がある。この場合、圧縮機１０が劣化するおそれがある。そこで、上記（４）式で求められる停止時間が、圧縮機１０の圧縮機保護停止時間ｔｐよりも短くなる場合は、この圧縮機保護停止時間ｔｐを停止時間として、上記（５）式に基づいて圧縮機１０の停止湿度ＨＳが算出される。そして、この算出に係る値が第２の停止湿度ＨＳＢに設定される。
【００７０】
ところで、第３サンプリング期間の開始時から終了時までに除湿機１内の水分が全て蒸発する場合がある。すなわち、第３サンプリング期間の途中から除湿機１からの再蒸発量Ｑ３は「０」となる。この場合、（６−１）式が成立する。ここで、「Ａ」は、除湿機１から蒸発する水分量を示す。（６−１）式を変形すると（６−２）式になる。そして、（６−２）式から（７）式が導かれる。この場合、停止湿度ＨＳは（８）式で示される。そして、（８）式で得られる停止湿度ＨＳが第２の停止湿度ＨＳＢに設定される。
【００７１】
停止湿度ＨＳを算出するときに停止時間を算出するが、この停止時間を、上記（４）式及び（７）式のいずれの式で算出するかについては、次のように判定する。すなわち、設定湿度ＨＡが閾値以上であるときは室内湿度が高めに維持され、再蒸発量Ｑ３が小さくなると推定されることから、（４）式に基づいて停止時間が算出される。設定湿度ＨＡが閾値よりも低いときは室内湿度が低めに維持され、再蒸発量Ｑ３が大きくなると推定されることから、（７）式に基づいて停止時間が算出される。
【００７２】
【数６】
2015036591.tif 000008
【００７３】
【数７】
2015036591.tif 000009
【００７４】
【数８】
2015036591.tif 000010
［室内空間容積の算出方法］
図７を参照して、室内空間容積Ｖの算出方法について説明する。
【００７５】
室内空間容積Ｖは、第２サンプリング期間における各種パラメータと、第３サンプリング期間の各種パラメータに基づいて次のように算出する。
第２サンプリング期間、室内湿度が設定湿度ＨＡであるときの室内水分量Ｘ（「Ｘ１」）と室内湿度が停止湿度ＨＳであるときの室内水分量Ｘ（「Ｘ２」）との差分が、実質除湿能力（除湿能力Ｑ１と除湿負荷Ｑ２との差分）の時間積分に等しい。このため、（９−１）式が成立する。なお、ここで「ｔ１」とは、室内湿度が設定湿度ＨＡから停止湿度ＨＳに低下するまでの時間を示す。また、室内湿度が設定湿度ＨＡであるときの室内水分量Ｘ（「Ｘ１」）は（９−２）式で示され、室内湿度が停止湿度ＨＳであるときの室内水分量Ｘ（「Ｘ２」は（９−３）式で示されることから、除湿負荷Ｑ２は（９−４）式で示される。
【００７６】
【数９】
2015036591.tif 000011
第３サンプリング期間、すなわち、室内湿度が停止湿度ＨＳであるときから室内湿度が設定湿度ＨＡまで上昇するまでの期間では、上記（５）式が成立する。従って、この時期の除湿負荷Ｑ２は、下記（１０）式により示される。
【００７７】
【数１０】
2015036591.tif 000012
除湿負荷Ｑ２は、時期に関わらず変化しないと仮定し、（９−４）式に示される「Ｑ２」と式（１０）に示される「Ｑ２」は等しいとすると、室内空間容積Ｖは、次の式（１１）で表される。
【００７８】
【数１１】
2015036591.tif 000013
以上のように、停止湿度ＨＳ、除湿負荷Ｑ２、室内空間容積Ｖのそれぞれが、第１〜第３サンプリング期間で取得されたデータ（温度、湿度、及び時間）に基づいて求められる。なお、停止湿度ＨＳ、除湿負荷Ｑ２、及び室内空間容積Ｖは、データ取得の都度更新される。
【００７９】
図１０を参照して、制御装置１７が実行する「圧縮機制御処理」の手順について説明する。
なお、この「圧縮機制御処理」は、除湿機１の運転中、周期的に実行される。
【００８０】
ステップＳ１１０では、制御装置１７は、室内湿度が設定湿度ＨＡよりも大きいか否かを判定する。この判定において、肯定判定（「ＹＥＳ」）のとき、すなわち、室内湿度が設定湿度ＨＡよりも大きいときは、次のステップＳ１２０に移行する。この判定において、否定判定（「ＮＯ」）のとき、すなわち室内湿度が設定湿度ＨＡ以下であるときは、「圧縮機制御処理」のフローを一旦終了する。
【００８１】
ステップＳ１２０では、制御装置１７は圧縮機１０を運転開始する。これにより、室内の除湿が開始される。このため、室内湿度が低下し始める。
そして、ステップＳ１３０では、制御装置１７が除湿負荷Ｑ２を算出する。
【００８２】
また、制御装置１７は、第１サンプリング期間中、上記「第１処理」を繰り返し実行し、その都度、「第１の停止湿度ＨＳＡ」を求める。そして、「第１の停止湿度ＨＳＡ」と「第２の停止湿度ＨＳＢ」を参照して「決定処理」を実行する。これにより、圧縮機１０の停止湿度ＨＳを設定する。
【００８３】
なお、運転開始後の最初のステップＳ１３０の処理においては、第２及び第３サンプリング期間を経過していないため、「第２の停止湿度ＨＳＢ」が設定されていない。このため、運転開始後の最初の処理においては、設定湿度ＨＡから予め設定された所定値を引いて得られる値が、第２の停止湿度ＨＳＢとして設定される。
【００８４】
ステップＳ１４０では、制御装置１７は、室内湿度が停止湿度ＨＳよりも小さいか否かを判定する。この判定において、肯定判定（「ＹＥＳ」）のとき、すなわち、室内湿度が停止湿度ＨＳよりも小さいときは、次のステップＳ１５０に移行し、圧縮機１０の運転を停止する。この判定において、否定判定（「ＮＯ」）のとき、すなわち、室内湿度が停止湿度ＨＳ以上であるときは、圧縮機１０の運転を継続する。そして、所定時間経過後、再度、ステップＳ１３０の処理を行う。
【００８５】
圧縮機１０の運転停止後、ステップＳ１６０において、制御装置１７は、ファン１５を駆動し、送風運転を開始する。その後、送風運転中、除湿が行われないため、室内湿度は徐々に上昇する。制御装置１７は、ステップＳ１６０に続けてステップＳ１７０を実行する。
【００８６】
ステップＳ１７０では、制御装置１７は、室内湿度が設定湿度ＨＡよりも大きいか否かを判定する。この判定において、肯定判定（「ＹＥＳ」）のとき、すなわち、室内湿度が設定湿度ＨＡよりも大きいときは、次のステップＳ１８０に移行する。この判定において、否定判定（「ＮＯ」）のとき、すなわち、室内湿度が設定湿度ＨＡ以下であるときは、送風運転を継続する。そして、所定時間経過後、再度、ステップＳ１７０の処理を行う。
【００８７】
ステップＳ１８０では、送風運転を停止する。そして、制御装置１７は「第２処理」を実行し、「第２の停止湿度ＨＳＢ」を算出する。また、制御装置１７は室内空間容積Ｖを算出する。そして、制御装置１７はこれらの値（第２の停止湿度ＨＳＢ及び室内空間容積Ｖ）を記憶する。
【００８８】
ステップＳ１８０の実行後、この「圧縮機制御処理」が一旦終了するが、所定周期の経過後、再度「圧縮機制御処理」が実行される。このときは室内湿度が設定湿度ＨＡよりも高くなっていると、圧縮機１０の運転が再開する（ステップＳ１１０）。
【００８９】
図１１を参照して、停止湿度ＨＳの推移と、室内湿度の変化、除湿負荷Ｑ２、及び消費電力の時間変化との関係を示す。
図１１の（ａ）に示す実線と図１１の（ｂ）に示す実線とは同じものであり、本実施形態に係る除湿機１を運転した場合の室内湿度の変化を示す。本実施形態に係る除湿機１を運転した場合の室内湿度の変化を示す。
【００９０】
図１１の（ａ）に示す破線は、従来技術に係る除湿機を運転した場合の室内湿度の変化を示す。この従来技術に係る除湿機は、差分Δｄを十分に大きくして、停止湿度ＨＳを設定し、除湿負荷Ｑ２に関わらず停止湿度ＨＳを一定値にする。
【００９１】
図１１の（ｂ）に示す破線は、比較技術に係る除湿機を運転した場合の室内湿度の変化を示す。この比較技術に係る除湿機は、差分Δｄを小さくして、停止湿度ＨＳを設定し、除湿負荷Ｑ２に関わらず停止湿度ＨＳを一定値にする。
【００９２】
図１１の（ａ）に示されるように、本実施形態に係る除湿機１では、除湿負荷Ｑ２が小さいときは、停止湿度ＨＳを低くし、除湿負荷Ｑ２が大きいときには、停止湿度ＨＳを高くする。すなわち、除湿負荷Ｑ２が小さいときは、室内湿度が低下しても運転停止中の除湿機１からの再蒸発分のロス（除湿効率を低下させる効率上の損失）を考慮しても低湿度まで除湿運転を継続する方が、実質的な除湿効率の低下が小さいことから、停止湿度ＨＳは、除湿負荷Ｑ２が大であるときと比べて低いところに設定される。これに対し、除湿負荷Ｑ２が大きいときは、室内湿度が低下に伴って実質的な除湿効率の低下が大きくなるため、停止湿度ＨＳは、除湿負荷Ｑ２が小であるときと比べて高いところに設定される。これにより、圧縮機１０の平均除湿効率の低下が抑制される。
【００９３】
図１１の（ｄ）に示されるように、本実施形態に係る除湿機１（実線を参照。）は、従来技術に係る除湿機（破線参照。）よりも消費電力量が少ない。これは、従来技術に比べて、エネルギー損失が大きい除湿が抑制されていることを示す。
【００９４】
また、本実施形態に係る除湿機１は、比較技術に係る除湿機よりも消費電力量が少ない。比較技術（一点鎖線参照。）では、従来技術（破線参照。）に比べて停止湿度ＨＳを高いところに設定しているが、本実施形態に係る除湿機１よりも除湿効率が低い。これは、除湿負荷Ｑ２に関わらず停止湿度ＨＳを一定にしていることに起因する。すなわち、比較技術では、停止湿度ＨＳが一定値に固定されているため、除湿負荷Ｑ２が低いときに、除湿効率を高めることができない。これに対して、本実施形態では、除湿負荷Ｑ２が小さいときには、停止湿度ＨＳを低くして除湿効率を高める。
【００９５】
本実施形態によれば以下の効果を奏する。
（１）従来技術では、圧縮機１０の保護のため、除湿負荷Ｑ２の大きさに関わらず圧縮機１０の停止時間が圧縮機保護停止時間ｔｐよりも短くならないようにするため、圧縮機１０の停止湿度ＨＳを設定湿度ＨＡよりも大幅に低いところに設定する。この場合、室内湿度の低下により圧縮機１０の除湿効率が低下している場合でも、室内湿度がこの停止湿度ＨＳに至るまで除湿する。このため、無駄に電力を消費することがある。
【００９６】
これに対して、本実施形態に係る除湿機１では、処理時（停止湿度ＨＳの設定処理時）の除湿機１の除湿効率が、圧縮機１０の運転開始から処理時（停止湿度ＨＳの設定処理時）までの期間における除湿機１の平均除湿効率よりも低くなる時点を、除湿効率が上昇から下降に切り替わる時点を示すものとして検出する。そして、この時点の湿度を「第１の停止湿度ＨＳＡ」とする。
【００９７】
しかし、除湿効率だけを追及すると、圧縮機１０の保護の観点からその停止時間が短くなりすぎることがある。そこで、圧縮機１０を保護するため、圧縮機１０の停止時間として圧縮機保護停止時間ｔｐ以上の時間が確保されるように、第２の停止湿度ＨＳＢを設定する。そして、除湿効率の向上のための第１の停止湿度ＨＳＡ及び圧縮機１０の保護のための第２の停止湿度ＨＳＢのうち、その値が低いものを停止湿度ＨＳとして選択する。すなわち、第２の停止湿度ＨＳＢが第１の停止湿度ＨＳＡよりも低いときは、第２の停止湿度ＨＳＢを圧縮機１０の停止湿度ＨＳとする。これにより、圧縮機１０の停止時間は、圧縮機保護停止時間ｔｐよりも長くなる。第１の停止湿度ＨＳＡが第２の停止湿度ＨＳＢよりも低いときは、第１の停止湿度ＨＳＡを圧縮機１０の停止湿度ＨＳとする。この場合、圧縮機１０の停止時間は、圧縮機保護停止時間ｔｐよりも長くなる。また、平均除湿効率が低下し始める時点で圧縮機１０の運転を停止するため消費電力が低減する。
【００９８】
また、この技術は冷媒回路を備える除湿機１に適用可能であり、冷媒回路の構造によってその適用が妨げられることはない。すなわち、上記構成によれば、冷媒回路の構造に関わらず、圧縮機１０を保護しかつ消費電力の低減を図ることができる。なお、ここで示す冷媒回路とは、少なくとも圧縮機１０と、膨張弁１３と、２つの熱交換器１１，１２を備える回路を示す。
【００９９】
（２）また、上記除湿機１において、制御装置１７は、室内湿度が設定湿度ＨＡから停止湿度ＨＳに低下するまでの時間ｔ１の逆数と、室内湿度が停止湿度ＨＳから設定湿度ＨＡに上昇するまでの時間ｔ２の逆数との和に基づいて、室内空間容積Ｖを設定する。
【０１００】
室内空間容積Ｖを固定値に設定する場合、次の問題が生じる。すなわち、除湿機１が設置される実際の室内空間容積Ｖと、予め設定された室内空間容積Ｖとの間に大きな差があると、室内空間容積Ｖに基づいて導出される第２の停止湿度ＨＳＢを精確に算出することができなくなる。そこで、上記構成では、室内湿度が設定湿度ＨＡから停止湿度ＨＳに低下するまでの時間ｔ１の逆数と、室内湿度が停止湿度ＨＳから設定湿度ＨＡに上昇するまでの時間ｔ２の逆数との和に基づいて室内空間容積Ｖを設定する（（１１）式参照。）。これにより、第２の停止湿度ＨＳＢを精確に算出することができるようになる。
【０１０１】
（付記）
本実施形態に係る除湿機１は次の技術を含む。
（付記１）
圧縮機と、膨張弁と、吸入空気を露点温度以下に冷却する熱交換器と、前記熱交換器で冷却された空気を再加熱する加熱器と、前記圧縮機を制御する制御装置とを備え、前記制御装置は、前記圧縮機の運転を停止する条件としての停止湿度と、前記圧縮機の運転を再開する条件としての設定湿度とを有し、前記圧縮機の運転中において室内湿度が前記停止湿度よりも低くなったとき前記圧縮機の運転を停止し、前記圧縮機の運転停止中において室内湿度が前記設定湿度以上となったとき前記圧縮機の運転を再開する除湿機において、次の構成を備える。
【０１０２】
前記制御装置は、前記処理時の前記除湿機の除湿効率が、前記圧縮機の運転開始から処理時までの期間における前記除湿機の平均除湿効率よりも低くなる時点を、前記除湿効率が上昇から下降に切り替わる時点を示すものとして検出し、この時点の湿度を第１の停止湿度として記憶し、圧縮機保護時間に基づいて算出した第３の停止湿度を記憶し、前記第１の停止時間と前記第３の停止時間とのうちでその値が低いものを選択して、選択に係る湿度を前記停止湿度に設定する除湿機。
【０１０３】
（付記２）
付記１の除湿機において加熱器は冷媒回路の凝縮器である除湿機。
この構成によれば、冷媒回路で発生する熱を有効に利用することができる。
【０１０４】
（付記３）
付記１または付記２に記載の除湿機において、前記加熱器が冷媒回路の凝縮器及び電気ヒータのうちの少なくとも電気ヒータを備える除湿機。この構成によれば、吸気空気を要求温度に設定しやすくなる。
【０１０５】
（付記４）
付記１〜付記３のいずれか１項に記載の除湿機において、前記圧縮機の停止時間が前記圧縮機保護時間以上に設定される除湿機。
【０１０６】
（付記５）
付記１〜付記３のいずれか１項に記載の除湿機において、前記圧縮機の運転開始から運転停止までの期間が、前記圧縮機保護時間以上に設定される除湿機。
【０１０７】
（変形例）
なお、本技術の実施態様は上記に示した態様に限られるものではなく、これを例えば以下に示すように変更して実施することもできる。
【０１０８】
・上記実施形態では、冷媒回路の第２熱交換器１２を、吸入空気を加熱する加熱器として用いているが、この構成に代えて、電気ヒータを加熱器として用いることもできる。この構成の場合、第２熱交換器１２は室外に配置される。また、第２熱交換器１２と電気ヒータの両者を加熱器として用いることもできる。
【０１０９】
・上記実施形態では、「決定処理」により、圧縮機１０の停止湿度ＨＳを設定するが、次の構成をとることもできる。例えば、第１の停止湿度ＨＳＡについては、上記実施形態と同様の方法で設定する。第２の停止湿度ＨＳＢに代えて、第３の停止湿度ＨＳＣを設定する。第３の停止湿度ＨＳＣは圧縮機保護停止時間ｔｐに基づいて設定する。そして、上記第１の停止湿度ＨＳＡと第３の停止湿度ＨＳＣとのうちで低いものを圧縮機１０の停止湿度ＨＳに設定する（付記１を参照）。この構成によっても、圧縮機１０の保護を図りかつ消費電力を低減することができる。
【符号の説明】
【０１１０】
１…除湿機、１０…圧縮機、１１…第１熱交換器、１２…第２熱交換器、１３…膨張弁、１４…ドレンパン、１５…ファン、１６…アキュムレータ、１７…制御装置、１８…温度センサ、１９…湿度センサ、２０…ケース、２１…吸込口、２２…送風口、２３…設定部。
【図１】
2015036591.tif 000014
【図２】
2015036591.tif 000015
【図３】
2015036591.tif 000016
【図４】
2015036591.tif 000017
【図５】
2015036591.tif 000018
【図６】
2015036591.tif 000019
【図７】
2015036591.tif 000020
【図８】
2015036591.tif 000021
【図９】
2015036591.tif 000022
【図１０】
2015036591.tif 000023
【図１１】
2015036591.tif 000024